(57)【特許請求の範囲】
【請求項１】
記録情報本体を記録するための主領域と、上記主領域における情報の管理情報及び／又は付加情報を記録するための副領域とからなる記録媒体を使用して、本来の記録情報の記録開始時及び／又は記録終了時に、上記本来の記録情報と異なる所定情報を記録する特定トラックを、主領域と副領域とに追加するように構成されており、
上記特定トラックの再生順序位置によって、記録媒体に存在する複数の本来の記録情報のための情報トラックを群単位として区別し、この区別された群単位で再生するように構成されていることを特徴とする情報記録再生装置。
【請求項２】
所定情報を記録する特定トラックの主領域への記録データは、再生時に該所定情報の存在を操作者が認識困難な情報であることを特徴とする請求項１記載の情報記録再生装置。
【請求項３】
特定トラックの主領域への記録データ長として、最小記録単位を割り当てるように構成されたことを特徴とする請求項１記載の情報記録再生装置。
【請求項４】
記録媒体に存在する複数の本来の記録情報のための情報トラックを群単位として区別し、群単位で分類する場合において、いずれの群にも属さない複数の本来の記録情報のための情報トラックの範囲を定義できるよう構成されたことを特徴とする請求項１記載の情報記録再生装置。
【請求項５】
特定トラックの副領域に記録された付加情報を、対応する群の情報として処理するよう構成されたことを特徴とする請求項１記載の情報記録再生装置。
【請求項６】
記録媒体に存在する複数の本来の記録情報のための情報トラックの群単位への区別を、本来記録すべき情報のための新規の情報トラックの記録時に行うよう構成されたことを特徴とする請求項１記載の情報記録再生装置。
【請求項７】
記録媒体に既に記録されている本来記録すべき情報のための情報トラックを、他の群単位へ分類変更可能とするように構成されたことを特徴とする請求項１記載の情報記録再生装置。
【請求項８】
特定トラックによっていくつかの群に分けられた複数の本来記録すべき情報のための情報トラックに対して、ある特定の群を一括して処理可能とするように構成されたことを特徴とする請求項１記載の情報記録再生装置。
【請求項９】
本来記録すべき情報のための情報トラックの処理によって群に属するトラックが存在しなくなった場合、相当する特定トラックを同時に消去するか否かを選択可能に構成されていることを特徴とする請求項１記載の情報記録再生装置。
【請求項１０】
特定トラックにより区別された、記録媒体内の本来記録すべき情報のための情報トラックのトラック群の存在有無を、外部機器へ対して表明する通信手段を備えたことを特徴とする請求項１記載の情報記録再生装置。
【発明の詳細な説明】
【０００１】
【発明の属する技術分野】
本発明は、例えばミニディスク等のディスク状記録媒体に複数の情報を記録・再生することのできる情報記録再生装置に関するものである。
【０００２】
【従来の技術】
記録媒体としてのミニディスクにおける情報トラックの記録方式は、次のようになっている。
【０００３】
先ず、ミニディスクの記録可能な領域は、ユーザＴＯＣ領域等の副領域とプログラム領域である主領域とに大別される。このうち、プログラム領域は、本来の記録対象であるトラック情報（音声）を記録するための領域である。一方、ユーザＴＯＣ領域は、プログラム領域に記録された一連のトラック情報毎にトラック番号や記録位置及び記録範囲等の管理情報並びに付加情報（テキスト等）を記録するための領域である。
【０００４】
上記ユーザＴＯＣ領域について説明する。
【０００５】
ミニディスクのユーザＴＯＣ領域では、セクタという単位で複数種類の情報が独立して格納される。トラック情報の記録状況は、セクタ０の領域にて管理される。
【０００６】
具体的には、セクタ０の領域には、図２１（ｂ）に示すように、記録されているデータのアドレス範囲を各スロットに格納するためのスロット部と、図２１（ａ）に示すように、各スロットに格納された内容とトラック番号とを対応づける情報を格納するポインタ部とが用意されている。
【０００７】
したがって、例えば、ユーザＴＯＣ領域において、図２１（ａ）（ｂ）に示すように、セクタ０の副領域のポインタ部及びスロット部にデータが格納されている場合は、トラック番号１のトラック情報は、図２１（ｃ）に示すように、主領域であるプログラム領域の００３２〜００８０のアドレス範囲に記録されていることになる。
【０００８】
【発明が解決しようとする課題】
しかしながら、上記従来のミニディスクを記録再生する情報記録再生装置においては、１枚のディスク上に収録可能なトラック数としては、最大「２５５」とされているが、収録トラック数が多くなるほど、特定のトラックを選択する操作は困難となる。
【０００９】
例えば、１回のキー操作毎にトラック選択を＋１／−１する仕様とした場合、現在選択しているトラック番号と目標とするトラック番号との差の回数だけキー操作が必要となる。
【００１０】
また、ディスク中の多くのトラックから希望のトラックを番号によって選び出すこと自体、利用者にとっては負担の大きな操作である。
【００１１】
このため、従来は、多数のトラックを記録する場合、１枚のミニディスクに収録して上記操作性の悪さを容認するか又は１枚のミニディスク中に格納するトラック数が余り多くならないように利用者側で考慮して使用するかのいずれかを選択することとなっていた。
【００１２】
したがって、操作性の悪化又はミニディスクの記録可能容量を最大限に利用することができないこととのいずれかの問題が発生することとなっていた。
【００１３】
本発明は、上記従来の問題点に鑑みなされたものであって、その目的は、１つの記録媒体の記録可能容量を最大限に利用して多数の情報トラックを記録することができるとともに、トラック選択を容易に行って操作性を向上し得る情報記録再生装置を提供することにある。
【００１４】
【課題を解決するための手段】
本発明の情報記録再生装置は、上記課題を解決するために、記録情報本体を記録するための主領域と、上記主領域における情報の管理情報及び／又は付加情報を記録するための副領域とからなる記録媒体を使用して、本来の記録情報の記録開始時及び／又は記録終了時に、上記本来の記録情報と異なる所定情報を記録する特定トラックを、主領域と副領域とに追加するように構成されたことを特徴としている。
【００１５】
上記の発明によれば、本来記録すべき情報の記録と同時に、それとは別な特定の特徴を持たせた所定情報を記録する特定トラックを、主領域と副領域とに追加する。
【００１６】
このため、例えば、記録媒体に存在する複数の情報トラックを、より少数な群単位に区別することができるので、記録媒体中の多数の情報トラックの中から、まず区別されたいずれかの群を選択し、その後、選択された群の中から指定のトラックの選択をするというように、情報トラックの選択操作を階層的に行うことができ、情報トラック選択の操作性を向上することができる。
【００１７】
したがって、従来に比べて情報トラックの選択が容易となり、多数の情報トラックを記録することによる目的情報トラックの検索の煩わしさによって記録可能容量を充分に使用しないという問題も解消できる。
【００１８】
この結果、１つの記録媒体の記録可能容量を最大限に利用して多数の情報トラックを記録することができるとともに、トラック選択を容易に行って操作性を向上し得る情報記録再生装置を提供することができる。
【００１９】
本発明の情報記録再生装置は、上記課題を解決するために、上記記載の情報記録再生装置において、所定情報を記録する特定トラックの主領域への記録データは、再生時に該所定情報の存在を操作者が認識困難な例えば無音等の情報であることを特徴としている。
【００２０】
上記の発明によれば、所定情報を記録する特定トラックの主領域への記録データは、再生時に該所定情報の存在を操作者が認識困難な例えば無音等の情報としているので、操作者には実用上の違和感を殆どないものとすることが可能となる。
【００２１】
本発明の情報記録再生装置は、上記課題を解決するために、上記記載の情報記録再生装置において、特定トラックの主領域への記録データ長として、最小記録単位を割り当てるように構成されたことを特徴としている。
【００２２】
上記の発明によれば、特定トラックの主領域への記録データ長として、例えば、記録媒体としてのミニディスクでは、再生時間にして約１１ｍｓｅｃの最小記録単位を割り当てるだけであるので、特定トラックを主領域へ記録することが記録媒体の記録容量に影響することは殆どない。また、極めて短い時間で再生終了するため、操作者には実用上の違和感を殆どないものとすることが可能となる。
【００２３】
本発明の情報記録再生装置は、上記課題を解決するために、上記記載の情報記録再生装置において、特定トラックの再生順序位置によって、記録媒体に存在する複数の本来の記録情報のための情報トラックを群として区別し、この区別された群単位で再生するように構成されたことを特徴としている。
【００２４】
上記の発明によれば、特定トラックの再生順序位置によって記録媒体に存在する複数の本来の記録情報のための情報トラックを群として区別し、この区別された群単位で再生する。
【００２５】
このため、記録媒体に存在する複数の情報トラックを、より少数な群単位に区別し、分類することができるので、記録媒体中の多数の情報トラックの中から、まず区別された、いずれかの群を選択し、その後、選択された群の中から指定のトラックの選択をするというように、情報トラックの選択操作を階層的に行うことができ、情報トラック選択の操作性を向上することができる。
【００２６】
したがって、従来に比べて情報トラックの選択が容易となり、多数の情報トラックを記録することによる目的情報トラックの検索の煩わしさによって記録可能容量を充分に使用しないという問題も解消できる。
【００２７】
この結果、確実に、１つの記録媒体の記録可能容量を最大限に利用して多数の情報トラックを記録することができるとともに、トラック選択を容易に行って操作性を向上し得る情報記録再生装置を提供することができる。
【００２８】
本発明の情報記録再生装置は、上記課題を解決するために、上記記載の情報記録再生装置において、記録媒体に存在する複数の本来の記録情報のための情報トラックを群単位として区別し、群単位で分類する場合において、いずれの群にも属さない複数の本来の記録情報のための情報トラックの範囲を定義できるよう構成されたことを特徴としている。
【００２９】
上記の発明によれば、情報トラックを一つにまとめて分類する際に、特定トラックを作成しないことにより、従来機で記録された記録媒体の情報トラックは全て群に属さないとすることができるので、従来機との互換性がとれる。また、特定の群に属さない情報トラックを一まとめに分類する際に、特定トラックを用意する必要が無くなり、限られた記録媒体の記録容量を無駄なく使うことができる。
【００３０】
本発明の情報記録再生装置は、上記課題を解決するために、上記記載の情報記録再生装置において、特定トラックの副領域に記録された付加情報を、対応する群の情報として処理するよう構成されたことを特徴としている。
【００３１】
上記の発明によれば、特定トラックの副領域に記録された付加情報を、対応する群の情報として処理するつまり群の情報として扱うので、例えば、操作者が固有の群情報を付加することにより、操作者は検索を行う際に群情報を用いることができる。この結果、検索操作を操作者の固有の群情報により行うことができるので、検索操作が容易となる。また、逆に、検索操作における操作者の負担を小さくすることができる。
【００３２】
本発明の情報記録再生装置は、上記課題を解決するために、上記記載の情報記録再生装置において、記録媒体に存在する複数の本来の記録情報のための情報トラックの群単位での区別を、本来記録すべき情報のための新規の情報トラックの記録時に行うよう構成されたことを特徴としている。
【００３３】
すなわち、記録直後の情報トラックには操作者による付加情報がないため、これらを操作者が１トラックずつ内容を確認して分類するのは大変な負担を強いられる。
【００３４】
しかし、本発明では、新規の情報トラックの記録時に分類する群を操作者が選択し自動で群単位で区別して、分類することができるので、新規の情報トラックの記録後に操作者が内容の確認を行い１トラックずつ群に分類するという負担を取り除くことができる。
【００３５】
本発明の情報記録再生装置は、上記課題を解決するために、上記記載の情報記録再生装置において、記録媒体に既に記録されている本来記録すべき情報のための情報トラックを、他の群単位へ分類変更可能とするように構成されたことを特徴としている。
【００３６】
上記の発明によれば、従来機によって記録されたトラック情報を群に分類することができるので、従来機との互換性を持たすとともに情報トラックの管理に利便性を持たすことができる。
【００３７】
本発明の情報記録再生装置は、上記課題を解決するために、上記記載の情報記録再生装置において、特定トラックによっていくつかの群に分けられた複数の本来記録すべき情報のための情報トラックに対して、ある特定の群を一括して例えば消去、移動、結合等の処理可能とするように構成されたことを特徴としている。
【００３８】
上記の発明によれば、特定トラックにより群に分けられた一群を１つの単位として例えば消去、移動、結合等の処理を１回の操作で行うことが可能となり、操作者の利便性を向上することが可能となる。
【００３９】
本発明の情報記録再生装置は、上記課題を解決するために、上記記載の情報記録再生装置において、本来記録すべき情報のための情報トラックの処理によって群に属するトラックが存在しなくなった場合、相当する特定トラックを同時に消去するか否かを選択可能に構成されていることを特徴としている。
【００４０】
上記の発明によれば、情報トラックの定義変更により、群に属するトラックが存在しなくなった場合、相当する特定トラックを消去したり、そのまま残したり、操作者の意思により選択することが可能となる。
【００４１】
本発明の情報記録再生装置は、上記課題を解決するために、上記記載の情報記録再生装置において、特定トラックにより区別された、記録媒体内の本来記録すべき情報のための情報トラックのトラック群の存在有無を、外部機器へ対して表明する通信手段を備えたことを特徴としている。
【００４２】
上記の発明によれば、特定トラックにより区別されたトラック群の存在有無を外部機器に連絡することができるので、外部機器において区別された群の分類が可能になる。
【００４３】
【発明の実施の形態】
〔実施の形態１〕
本発明の実施の一形態について図１ないし図４に基づいて説明すれば、以下の通りである。なお、本実施の形態では、情報記録再生装置としてのＭＤプレーヤについて説明するが、必ずしもこれに限らず、他の情報記録再生装置であっても良い。
【００４４】
また、本実施の形態では、本来記録すべき例えば５件の音楽情報を１つの群として分類記録する場合を例示して、以下に説明する。
【００４５】
本実施の形態のＭＤプレーヤに備えられた図示しない操作手段にて分類記録機能の設定操作を行った後、本来記録すべき情報記録の開始操作をすると、記録すべき音声情報が記録媒体としてのミニディスクの主領域へ順次記録されるとともに、１件の音声情報の記録が完了する毎に副領域におけるユーザＴＯＣ領域にそのアドレス情報が定義される。
【００４６】
そのようにして例えば５曲の音声情報が記録された後、記録終了操作を行うと、５件の情報トラックの後に、通常の記録情報とは異なる別の特定の特徴を持たせたトラック（以下、「しおりトラック」と呼ぶ）の作成が行われる。すなわち、このときのミニディスクの記録状態は、図２に示すように、トラック１からトラック５まで音声情報が記録された後、トラック６には無効情報が記録されたものとなっている。
【００４７】
この無効情報は、例えば、無音の情報であり、同図においては、アドレス番号が「０１Ｂ１〜０１Ｂ１」となっている。すなわち、この特定トラックの主領域への記録データ長としては、ミニディスクの場合の最小記録単位である１サウンドグループつまり時間にして約１１ｍｓｅｃとするのが好ましい。
【００４８】
これによって、例えば、従来のＭＤプレーヤにてこのミニディスクを再生したときにも、無音として再生されるとともに、かつ極めて短時間にて再生が終了するので、実用上の違和感が殆どないものとなる。
【００４９】
なお、実際には、ミニディスク上には、図１（ａ）（ｂ）（ｃ）に示すように、前記トラック６の無効情報について、主領域及び副領域を使用して追加記録されかつ定義される。
【００５０】
上述のように記録されたディスクの内容を読み出すときには、ＭＤプレーヤに備えられた後述する特定トラック判別手段（図１９において示す特定トラック判別部１５）は、先ず、情報トラックに割り当てられる情報の容量及び記録内容を、副領域に記録されているアドレス情報と主領域の情報内容とによって判別する。また、このとき同時にトラック６がしおりトラックであることを判別する。具体的には、副領域に記録されているアドレス情報が最小記録単位か否か、及び主領域の情報内容が有効であるか又は無効であるかのいずれであるかを判別する。
【００５１】
その結果、特定トラック判別手段は、ミニディスク内の先頭トラックからしおりトラックの手前までのトラック１〜５が、１つの群であると認識する。
【００５２】
次に、上述した５件の情報を記録した後、さらに、続けて、同様にして３件の情報を、別の群として記録すると、図３に示すようになる。
【００５３】
すなわち、同図に示すように、トラック１〜５が一つの群となる一方、さらに後続トラック７から次のしおりトラックであるトラック１０の手前までのトラック７〜９が別の群として認識される。
【００５４】
以下、同様の操作を行うことにより、ミニディスク内に任意の数の群を定義することが可能となる。
【００５５】
なお、上記の例では、本来の情報トラックの後に、しおりトラックを配置するようになっているが、必ずしもこれに限らず、例えば、本来の情報トラックの前に、しおりトラックを配置することができる。このように、本来の情報トラックの前にしおりトラックを配置した場合には、そのしおりトラックから次のしおりトラック又は最終トラックを群として認識させれば、同様に構成することが可能である。
【００５６】
次に、上述のように分類して記録された情報を選択し、再生する動作について説明する。
【００５７】
先ず、前提として、本実施の形態のＭＤプレーヤには、トラックを表示するためのトラック表示と群を表示するための群表示とを表示するための図示しない表示部と、それら各トラック表示及び群表示を表示させるための図示しない表示操作手段が設けられている。したがって、操作者が、トラックを再生したり選択した場合には、そのトラック及びそのトラックが属する群が常に表示されるようになっている。上記のトラック表示は、例えばトラックに付加された名称又はトラック番号によって行われる。また、群表示は、例えば、群に付加された名称又はミニディスク内に存在する群を定義順に並べた番号等のテキストデータや画像によって行われるようになっている。
【００５８】
すなわち、本実施の形態のＭＤプレーヤは、いわゆるマルチユース（多機能）ＭＤプレーヤとしてなっており、文字や画像情報を扱うことができるようになっている。したがって、本実施の形態では、特定トラックに付加された当該情報を群全体の情報として扱うことができるようになっている。
【００５９】
具体的には、操作者又はＭＤプレーヤの内部操作により、ＭＤプレーヤの再生を開始させた場合、現在プレイ中の群情報を内部の処理により、自動的に、図４（ａ）に示すトラック情報の一覧に基づき、図４（ｂ）に示す表示が行われるようになっている。
【００６０】
したがって、操作者は、所望のトラック情報を再生するときの再生操作においては、先ず、上記の表示部のトラック表示及び群表示の内容を確認しながら、図示しない例えばキースイッチやダイヤル等の群選択操作手段にて目的の群を選択する。例えば、上記の図３に示す例では、トラック７〜９が属する群を選択する。
【００６１】
次いで、必要であれば、さらにその群に属する例えばトラック８等の一つのトラックを、上記トラック表示の内容を確認しながら、図示しない例えばキースイッチやダイヤル等のトラック選択操作手段にて選択することも可能である。
【００６２】
その後、再生開始指示操作を行うと、指示された群に属するトラックの再生又は指示されたトラックの再生が開始される。すなわち、群選択のみを行った場合には、その群の最初のトラックから再生が開始され、その群の最後のトラックまでの再生が行われる。また、群選択の後、トラック選択を行った場合には、そのトラックから再生が開始され、同様にして、その群の最後のトラックまでの再生が行われる。
【００６３】
なお、このとき、再生開始以降の動作については、指定された群の範囲だけでなく、それに続く群に属するトラックの再生を行わせることも可能である。
【００６４】
このように、本実施の形態のＭＤプレーヤでは、記録情報本体を記録するための主領域と、主領域における情報の管理情報及び／又は付加情報を記録するための副領域とからなるミニディスクを使用して、本来の記録情報の記録開始時及び／又は記録終了時に、本来の記録情報と異なる所定情報を記録する特定トラックを、主領域と副領域とに追加するように構成されている。
【００６５】
このため、本来記録すべき情報の記録と同時に、それとは別な特定の特徴を持たせた所定情報を記録する特定トラックを、主領域と副領域とに追加する。
【００６６】
したがって、ミニディスクに存在する複数の情報トラックを、より少数な群単位に分類することができるので、ミニディスク中の多数の情報トラックの中から、まず分類されたいずれかの群を選択し、その後、選択された群の中から指定のトラックの選択をするというように、情報トラックの選択操作を階層的に行うことができ、情報トラック選択の操作性を向上することができる。
【００６７】
この結果、従来に比べて情報トラックの選択が容易となり、多数の情報トラックを記録することによる目的情報トラックの検索の煩わしさによって記録可能容量を充分に使用しないという問題も解消できる。
【００６８】
これにより、１つのミニディスクの記録可能容量を最大限に利用して多数の情報トラックを記録することができるとともに、トラック選択を容易に行って操作性を向上し得るＭＤプレーヤを提供することができる。
【００６９】
また、本実施の形態のＭＤプレーヤでは、所定情報を記録する特定トラックの主領域への記録データは、再生時に該所定情報の存在を操作者が認識困難な例えば無音等の情報である。
【００７０】
このため、所定情報を記録する特定トラックの主領域への記録データは、再生時に該所定情報の存在を操作者が認識困難な例えば無音等の情報としているので、操作者には実用上の違和感を殆どないものとすることが可能となる。
【００７１】
また、本実施の形態のＭＤプレーヤでは、特定トラックの主領域への記録データ長として、最小記録単位を割り当てるように構成されている。
【００７２】
このため、特定トラックの主領域への記録データ長として、例えばミニディスクでは、再生時間にして約１１ｍｓｅｃの最小記録単位を割り当てるだけであるので、特定トラックを主領域へ記録することがミニディスクの記録容量に影響することは殆どない。また、極めて短い時間で再生終了するため、操作者には実用上の違和感を殆どないものとすることが可能となる。
【００７３】
また、本実施の形態のＭＤプレーヤでは、特定トラックの再生順序位置によってミニディスクに存在する複数の本来の記録情報のための情報トラックを群単位に分類し、この群単位で再生するように構成されている。
【００７４】
このため、特定トラックの再生順序位置によってミニディスクに存在する複数の本来の記録情報のための情報トラックを群単位に分類し、この群単位で再生する。
【００７５】
したがって、ミニディスクに存在する複数の情報トラックを、より少数な群単位に分類することができるので、ミニディスク中の多数の情報トラックの中から、まず分類されたいずれかの群を選択し、その後、選択された群の中から指定のトラックの選択をするというように、情報トラックの選択操作を階層的に行うことができ、情報トラック選択の操作性を向上することができる。
【００７６】
この結果、従来に比べて情報トラックの選択が容易となり、多数の情報トラックを記録することによる目的情報トラックの検索の煩わしさによって記録可能容量を充分に使用しないという問題も解消できる。
【００７７】
したがって、確実に、１つのミニディスクの記録可能容量を最大限に利用して多数の情報トラックを記録することができるとともに、トラック選択を容易に行って操作性を向上し得るＭＤプレーヤを提供することができる。
【００７８】
また、本実施の形態のＭＤプレーヤでは、特定トラックの副領域に記録された付加情報を、対応する群の情報として処理するよう構成されている。
【００７９】
このため、特定トラックの副領域に記録されたテキストや画像等の付加情報を、対応する群の情報として処理するつまり群の情報として扱うので、例えば、操作者が固有の群情報を付加することにより、操作者は検索を行う際に群情報を用いることができる。
【００８０】
この結果、検索操作を操作者の固有の群情報により行うことができるので、検索操作が容易となる。また、逆に、検索操作における操作者の負担を小さくすることができる。
【００８１】
また、本実施の形態のＭＤプレーヤでは、記録されたミニディスク内の複数の本来の記録情報のための情報トラックと特定のトラックとを判別する特定トラック判別手段が設けられている。
【００８２】
このため、本来の記録情報のための情報トラックと特定のトラックとを判別することにより、ミニディスクに存在する複数の情報トラックを、より少数の群単位に分類することができる。
【００８３】
また、本実施の形態では、特定トラックの追加に際し、複数の本来の記録情報のための情報トラックの再生順序における後の位置に特定トラックを配置するように構成されている。
【００８４】
さらに、本実施の形態では、特定トラックの追加に際し、複数の本来の記録情報のための情報トラックの再生順序における前の位置に特定トラックを配置するように構成されている。
【００８５】
したがって、これらにより、情報トラックの再生順序におけるいずれの側についても容易に群に分類することができる。
【００８６】
〔実施の形態２〕
本発明の他の実施の形態について図５ないし図７に基づいて説明すれば、以下の通りである。なお、説明の便宜上、前記の実施の形態１の図面に示した部材と同一の機能を有する部材については、同一の符号を付し、その説明を省略する。また、前記実施の形態１で述べた各種の特徴点については、本実施の形態についても組み合わせて適用し得るものとする。
【００８７】
本実施の形態のＭＤプレーヤでは、いずれの群にも属さないトラック群について説明する。
【００８８】
例えば、特定の群に属さないトラックを一つにまとめて分類する際に、前記実施の形態１にて説明した特定トラックを用意しないとすることができる。これによって、従来のＭＤプレーヤにて録音されたミニディスクのトラックは全て群に属さないと判定されるので互換性がとれる。また、特定の群に属さないトラックを一つにまとめて分類する際に、特定トラックを用意する必要が無くなるので、限られたディスク情報を無駄なく使うことができる。
【００８９】
例えば、図５に示すように、トラック４及びトラック８が特定トラックとなって、トラック４〜トラック７がＧＲＯＵＰ１の群に属し、トラック８〜トラック１１がＧＲＯＵＰ２の群に属するとした場合には、最初の特定トラックとなるトラック４までのトラック１〜トラック３は、いずれの群にも属さない群となる。
【００９０】
このように、必ずしも特定トラックを設けて全てのトラックについていずれかの特定の群に属させる必要はなく、特定の群に属さない再生始め側のトラックを一つにまとめて分類することができる。
【００９１】
一方、同図の例では、最初のトラック１から最初に出現する特定トラックの前までを特定の群に属さない群として一まとめにしているが、必ずしもこれに限らず、例えば、図６に示すようにすることも可能である。
【００９２】
すなわち、同図においては、トラック４及びトラック８が特定トラックとなっているが、最初の特定トラック４によってトラック１〜トラック４がＧＲＯＵＰ１の群に属し、次の特定トラック８によってトラック５〜トラック８がＧＲＯＵＰ２の群に属するとする場合もある。この場合、特定トラック８の次のトラック９以降から最後のトラックまでつまりトラック９〜トラック１１までは、いずれの群にも属さない群となる。このように、必ずしも特定トラックを設けて全てのトラックについていずれかの特定の群に属させる必要はなく、特定の群に属さない再生最後側のトラックを一つにまとめて分類することができる。
【００９３】
なお、本発明は、上記の実施の形態に限定されるものではなく、本発明の範囲内で種々の変更が可能である。例えば、上記実施の形態では、特定トラックをトラック４及びトラック８とし、その前又は後ろのトラックに対してＧＲＯＵＰ１又はＧＲＯＵＰ２等の群情報となる名称を付しているが、特にこれに限定するものではなく、ＧＲＯＵＰ１又はＧＲＯＵＰ２等の群情報となる名称を付さないとすることも可能である。
【００９４】
例えば、図７に示すように、特定トラックをトラック４及びトラック８としているが、それぞれには「ＮｏＮＡＭＥ」と記載しているように群情報となる名称を付していない。しかし、この場合には、最初に特定トラックがあったときからのトラックをＧＲＯＵＰ１として扱い、さらに、次に特定トラックがあったときからのトラックをＧＲＯＵＰ２というように、以下順にＧＲＯＵＰ３…として各群に属するとすることが可能である。
【００９５】
ただし、この場合の操作手順について説明すると、例えばトラック番号１０のＴＲＡＣＫ２−２をトラック番号１から検索する場合には、１０回送りする必要がある。
【００９６】
なお、前記図５及び図６に示すように、特定トラックに群情報が記載されている場合には、例えば図５においてトラック番号１０のＴＲＡＣＫ２−２を最初から検索する場合には、先ず、「ＧＲＯＵＰ２」を選択することによってトラック番号９のＴＲＡＣＫ２−１が選択できるので、その後、１回送りすることによって、トラック番号１０のＴＲＡＣＫ２−２に到達することができる。
【００９７】
このように、本実施の形態のＭＤプレーヤでは、群単位への分類において、いずれの群にも属さない複数の本来の記録情報のための情報トラックの範囲を定義できるよう構成されている。
【００９８】
このため、情報トラックを一つにまとめて分類する際に、特定トラックを作成しないことにより、従来機で記録されたミニディスクの情報トラックは全て群に属さないとすることができるので、従来機との互換性がとれる。また、特定の群に属さない情報トラックを一まとめに分類する際に、特定トラックを用意する必要が無くなり、限られたミニディスクの記録容量を無駄なく使うことができる。
【００９９】
また、本実施の形態のＭＤプレーヤでは、群単位への分類において、いずれの群にも属さない複数の本来の記録情報のための情報トラックの範囲を、ミニディスクの先頭から特定トラックの前までに定義できるよう構成することが可能である。
【０１００】
また、本実施の形態のＭＤプレーヤでは、群単位への分類において、いずれの群にも属さない複数の本来の記録情報のための情報トラックの範囲を、ミニディスクの最後の特定トラックの後ろに定義できるよう構成することが可能である。
【０１０１】
これらにより、いずれの群にも属さない複数の本来の記録情報のための情報トラックの範囲を操作者の好みに合わして設定することができるので、従来機との互換性を持たすに際して利便性を有するものとなる。
【０１０２】
〔実施の形態３〕
本発明のさらに他の実施の形態について図８及び図９に基づいて説明すれば、以下の通りである。なお、説明の便宜上、前記の実施の形態１及び実施の形態２の図面に示した部材と同一の機能を有する部材については、同一の符号を付し、その説明を省略する。また、前記実施の形態１及び実施の形態２で述べた各種の特徴点については、本実施の形態についても組み合わせて適用し得るものとする。
【０１０３】
本実施の形態では、新な情報トラックを新規に録音するに際しての、然るべき群への分類及び配属方法について説明する。
【０１０４】
先ず、記録直後のトラックには操作者による付加情報がないため、これらを操作者が１トラックずつ内容を確認して分類するのは大変な負担を強いられる。
【０１０５】
そこで、本実施の形態では、新規記録時には分類する群を操作者が選択するだけで後は自動的に分類配属させることによって、新規記録後に操作者が内容の確認を行って１トラックづつ群に分類しなければならないという負担を取り除く。
【０１０６】
具体的には、情報トラックの新規録音時の群への分類は、以下の手順によって行われる。
（１）操作者の操作により、これから記録する情報トラックの分類先を、「所属無し」、「既存の群」又は「新規群」の中から選択する。
（２）次に、操作者又は内部操作により、情報トラックの記録を開始し、その後、内部操作により情報トラックが目標群に配属されるべく記録する。
【０１０７】
ここで、（１）の手順においては、「所属無し」、「既存の群」又は「新規群」のそれぞれで内部操作が異なるので、以下、順に説明する。
【０１０８】
最初に、分類先を「新規群」とした場合について、例えば、図８（ａ）に示すように、初期状態として特定トラック１によって「群１」として分類されるトラック番号２〜４の情報トラック１〜３があったときに、内部操作にて「特定トラック２」を新規作成した後、（２）の内部操作にて情報トラックが新規群に配属されるべく情報トラック４を記録する場合について説明する。
【０１０９】
この場合には、操作者が「新規群」の選択を行った後、新規な情報を記録すると、内部操作では、図８（ｂ）に示すように、先ず、トラック番号５に特定トラック２を定義及び記録し、その後、トラック番号６に情報トラック４を記録する。
【０１１０】
これによって、新たな情報トラック４が新規群「群２」に分類されて記録されたものとなる。
【０１１１】
次に、分類先を「既存の群」とした場合について、例えば、図９（ａ）に示すように、初期状態としてトラック番号４の特定トラック１によって既存の群「群１」として分類されるトラック番号５の情報トラック４があったときに、（２）の内部操作にて情報トラックが「群１」に配属されるべく新たな情報トラック５を記録する場合について説明する。
【０１１２】
この場合には、操作者が「既存の群」として「群１」を選択した後、新規な情報を記録すると、内部操作では、図９（ｂ）に示すように、トラック番号６に情報トラック５を記録する。
【０１１３】
これによって、新たな情報トラック５が既存の群「群１」に分類されて記録されたものとなる。
【０１１４】
なお、分類先が「所属無し」の場合についても、同様に行われる。
【０１１５】
このように、本実施の形態のＭＤプレーヤでは、群単位への分類を、本来記録すべき情報のための新規の情報トラックの記録時に行うよう構成されている。
【０１１６】
すなわち、記録直後の情報トラックには操作者による付加情報がないため、これらを操作者が１トラックずつ内容を確認して分類するのは大変な負担を強いられる。
【０１１７】
しかし、本実施の形態では、新規の情報トラックの記録時に分類する群を操作者が選択し自動で分類することができるので、新規の情報トラックの記録後に操作者が内容の確認を行い１トラックずつ群に分類するという負担を取り除くことができる。
【０１１８】
また、本実施の形態のＭＤプレーヤでは、群単位への分類を、本来記録すべき情報のための新規の情報トラックの記録時に行うに際して、新規特定トラックの追加記録を伴って、該新規群に属するように構成されている。
【０１１９】
すなわち、新規記録情報トラックを、既存の特定トラックの群に分類するのではなく、新規群を作成して分類を行う場合には、始めに特定トラック作成を必要とし、録音を急ぐ場合に支障がでる。
【０１２０】
そこで、録音開始時に操作者が新規群の設定要求を行った場合に、自動で新規群を作成し、新規記録トラックを自動分類することにより、操作者の負担を小さくすることができる。
【０１２１】
また、本実施の形態のＭＤプレーヤでは、群単位への分類を、本来記録すべき情報のための新規の情報トラックの記録時に行うに際して、既存特定トラックを使用して、該既存群に属するように構成されている。
【０１２２】
このため、新規の情報トラックの記録を既存の群に分類することができる。
【０１２３】
〔実施の形態４〕
本発明のさらに他の実施の形態について図１０及び図１１に基づいて説明すれば、以下の通りである。なお、説明の便宜上、前記の実施の形態１ないし実施の形態３の図面に示した部材と同一の機能を有する部材については、同一の符号を付し、その説明を省略する。また、前記実施の形態１ないし実施の形態３で述べた各種の特徴点については、本実施の形態についても組み合わせて適用し得るものとする。
【０１２４】
本実施の形態では、既存の情報トラックを他の群に分類変更する場合について説明する。
【０１２５】
先ず、既存の情報トラックを他の群に分類変更する場合には、以下の手順で行われる。
（１）操作者の操作により、所属を変更する情報トラックと所属変更先を「所属無し」、「既存の群」又は「新規群」の中から選択し、変更起動を設定する。
（２）内部操作により、情報トラックが目標群に配属されるべく変更する。
【０１２６】
ここで、（１）の手順においては、「所属無し」、「既存の群」又は「新規群」のそれぞれで内部操作が異なるので、以下、順に説明する。
【０１２７】
最初に、分類先を「新規群」とした場合について説明する。例えば、図１０（ａ）に示すように、初期状態として「所属無し」として分類されるトラック番号１〜５の情報トラック１〜５があったときに、情報トラック４を新規群「群１」に分類するときには、（１）における操作者の操作によって分類先として「新規群」を選択し、次いで、群に属させたい情報トラック４を設定する。これによって、（２）の内部操作では、図１０（ｂ）に示すように、トラック番号５に特定トラック１を定義記録して「群１」を作成し、その後、トラック番号４の情報トラック４を「群１」に配属させるべくトラック番号６に変更する。この結果、情報トラック４が新規群「群１」に分類変更されたものとなる。
【０１２８】
次に、分類先を「既存の群」とした場合について説明する。例えば、図１１（ａ）に示すように、初期状態として「所属無し」として分類されるトラック番号１〜３の情報トラック１〜３と既存の群「群１」として分類されるトラック番号５〜６の情報トラック４〜５とがあったときに、情報トラック３を既存の群「群１」に分類変更することを考える。
【０１２９】
このときには、（１）における操作者の操作によって、所属変更する情報トラックを「情報トラック３」とし、変更先の所属を既存の群「群１」として設定する。これによって、（２）の内部操作では、図１１（ｂ）に示すように、トラック番号３の情報トラック３を「群１」に配属させるべく「群１」の最後のトラック番号であるトラック番号６に変更する。この結果、情報トラック３が既存の群「群１」に分類変更されたものとなる。
【０１３０】
なお、分類先が「所属無し」の場合についても、同様に行われる。
【０１３１】
このように、本実施の形態のＭＤプレーヤでは、ミニディスクに既に記録されている本来記録すべき情報のための情報トラックを、他の群単位へ分類変更可能とするように構成されている。
【０１３２】
このため、従来機によって記録されたトラック情報を群に分類することができるので、従来機との互換性を持たすとともに情報トラックの管理に利便性を持たすことができる。
【０１３３】
また、本実施の形態のＭＤプレーヤでは、新規特定トラックの追加記録により、群の新規作成を可能とするように構成されている。ただし、この場合、追加場所については規定しない。
【０１３４】
さらに、本実施の形態のＭＤプレーヤでは、既存特定トラックを使用して、各本来記録すべき情報の情報トラックの移動又は特定トラックの移動にて、各情報トラックの所属を変更する。
【０１３５】
このため、これらにより、ある特定群内の情報トラックにおいて行われる共通の処理を、操作者が群に対する設定を行うだけで、情報トラック数分だけ行なう必要の有る操作を一括にて行うことができる。
【０１３６】
〔実施の形態５〕
本発明のさらに他の実施の形態について図１２ないし図１４に基づいて説明すれば、以下の通りである。なお、説明の便宜上、前記の実施の形態１ないし実施の形態４の図面に示した部材と同一の機能を有する部材については、同一の符号を付し、その説明を省略する。また、前記実施の形態１ないし実施の形態４で述べた各種の特徴点については、本実施の形態についても組み合わせて適用し得るものとする。
【０１３７】
本実施の形態では、群として一括処理する場合について説明する。なお、ここでの一括処理とは、群を一括して消去、移動、結合することをいう。
【０１３８】
最初に、群の一つを情報トラックとともに消去する場合には、以下の手順で行われる。
（１）操作者の操作により消去する群を設定した後、変更開始要求を操作者が設定する。
（２）内部操作により、指定された群の情報トラック及び特定トラックを自動的に消去する。
【０１３９】
例えば、図１２（ａ）に示すように、消去編集前の状態として、群「ＧＰ１」として分類されるトラック番号２〜４の情報トラックＴ１−１〜Ｔ１−３と、群「ＧＰ２」として分類されるトラック番号６〜８の情報トラックＴ２−１〜Ｔ２−３と、群「ＧＰ３」として分類されるトラック番号１０〜１３の情報トラックＴ３−１〜Ｔ３−４とがあったときに、群「ＧＰ２」として分類されるトラック番号６〜８の情報トラックＴ２−１〜Ｔ２−３を消去することを考える。なお、これらの各群は、例えば群「ＧＰ１」について述べると、トラック番号２〜４の情報トラックＴ１−１〜Ｔ１−３が、その先頭のトラック番号１の特定トラックＧＰ１によって群「ＧＰ１」として分類されるものとなっている。
【０１４０】
このときには、操作者の操作によって、消去する群「ＧＰ２」を選択し、変更開始要求を設定する。これによって、内部操作では、図１２（ｂ）に示すように、群「ＧＰ２」として分類されるトラック番号６〜８の情報トラックＴ２−１〜Ｔ２−３を群「ＧＰ２」とともに消去する。
【０１４１】
次に、各群の先頭に特定トラックが配置され、次の特定トラックまでを一つの群として定義される場合において、操作者の指定する群を先頭に移動する場合には、以下の手順で行われる。
（１）移動する群を操作者が設定した後、変更開始要求を操作者が設定する。
（２）内部操作により、指定された群の情報トラック及び特定トラックを自動的に移動する。
【０１４２】
例えば、図１３（ａ）に示すように、移動編集前の状態として、群「ＧＰ１」として分類されるトラック番号２〜４の情報トラックＴ１−１〜Ｔ１−３と、群「ＧＰ２」として分類されるトラック番号６〜８の情報トラックＴ２−１〜Ｔ２−３と、群「ＧＰ３」として分類されるトラック番号１０〜１３の情報トラックＴ３−１〜Ｔ３−４とがあったときに、群「ＧＰ３」として分類されるトラック番号１０〜１３の情報トラックＴ３−１〜Ｔ３−４を先頭に移動することを考える。なお、これらの各群は、前記同様に、先頭のトラック番号の特定トラックによって群として分類されるものとなっている。
【０１４３】
このときには、操作者の操作によって、移動する群「ＧＰ３」を選択し、変更開始要求を設定する。これによって、内部操作では、図１３（ｂ）に示すように、群「ＧＰ３」として分類されるトラック番号１０〜１３の情報トラックＴ３−１〜Ｔ３−４をトラック番号９の特定トラックとともに、先頭に移動する。
【０１４４】
次に、各群の先頭に特定トラックが配置され、次の特定トラックまでを一つの群として定義される場合において、操作者の指定する群を、副領域にて指定される再生順の早い群の後に結合する場合には、以下の手順で行われる。
（１）操作者が、結合する一つの群と結合される他の群とを設定した後、変更開始要求を操作者が設定する。
（２）内部操作により、指定された群の情報トラック及び特定トラックを自動的に移動する。
（３）さらに、内部操作により、指定された、結合される群の特定トラックを自動的に消去し、１つの群とする。
【０１４５】
例えば、図１４（ａ）に示すように、移動編集前の状態として、群「ＧＰ１」として分類されるトラック番号２〜４の情報トラックＴ１−１〜Ｔ１−３と、群「ＧＰ２」として分類されるトラック番号６〜８の情報トラックＴ２−１〜Ｔ２−３と、群「ＧＰ３」として分類されるトラック番号１０〜１３の情報トラックＴ３−１〜Ｔ３−４とがあったときに、群「ＧＰ３」として分類されるトラック番号１０〜１３の情報トラックＴ３−１〜Ｔ３−４を群「ＧＰ１」に結合することを考える。なお、これらの各群は、前記同様に、先頭のトラック番号の特定トラックによって群として分類されるものとなっている。
【０１４６】
このときには、操作者の操作によって、結合する群「ＧＰ３」と結合される群「ＧＰ１」とを選択し、変更開始要求を設定する。これによって、内部操作では、図１４（ｂ）に示すように、群「ＧＰ３」として分類されるトラック番号１０〜１３の情報トラックＴ３−１〜Ｔ３−４をトラック番号９の特定トラックとともに、群「ＧＰ１」の後ろに移動する。次いで、内部操作により、群「ＧＰ３」の特定トラックＧＰ３を消去する。
【０１４７】
これによって、群「ＧＰ１」は、情報トラックＴ１−１〜Ｔ１−３と情報トラックＴ３−１〜Ｔ３−４とが結合されて一つの群として構成される。
【０１４８】
このように、本実施の形態のＭＤプレーヤでは、特定トラックによっていくつかの群に分けられた複数の本来記録すべき情報のための情報トラックに対して、ある特定の群を一括して例えば消去、移動、結合等の処理可能とするように構成されている。
【０１４９】
このため、特定トラックにより群に分けられた一群を１つの単位として例えば消去、移動、結合等の処理を１回の操作で行うことが可能となり、操作者の利便性を向上することが可能となる。
【０１５０】
また、本実施の形態のＭＤプレーヤでは、指定の群に属するよう定義された複数の本来記録すべき情報のための情報トラックを、一括して消去可能なように構成されている。
【０１５１】
また、本実施の形態のＭＤプレーヤでは、指定の群に属するよう定義された複数の本来記録すべき情報のための情報トラックを、一括してミニディスク上での群定義順序を変更可能なように構成されている。
【０１５２】
また、本実施の形態のＭＤプレーヤでは、特定トラックによる定義群がミニディスク上に複数存在する場合において、指定された複数の本来記録すべき情報のための情報トラックからなる群を他の群へ結合可能なように構成されている。
【０１５３】
これらにより、特定トラックにより群に分けられた一群を１つの単位とし、具体的に消去、移動、結合等の処理を１回の操作で行うことが可能となり、操作者の利便性を向上することが可能となる。
【０１５４】
〔実施の形態６〕
本発明のさらに他の実施の形態について図１５ないし図１８に基づいて説明すれば、以下の通りである。なお、説明の便宜上、前記の実施の形態１ないし実施の形態５の図面に示した部材と同一の機能を有する部材については、同一の符号を付し、その説明を省略する。また、前記実施の形態１ないし実施の形態５で述べた各種の特徴点については、本実施の形態についても組み合わせて適用し得るものとする。
【０１５５】
本実施の形態では、特定トラックの存在を認識し、群単位に分類が可能なミニディスクを認識している場合において、群に属する情報トラックの全てを消去する方法について説明する。ここで、群に属する情報トラックの全てを消去するときに、その群を残すか否かによって、処理が２つに別れる。
【０１５６】
先ず、群に属する情報トラックの全てを消去するときに、その群を残す場合について、図１５に示すフローチャートに基づいて説明する。
【０１５７】
先ず、操作者の操作により、消去する情報トラックを設定した後、群を残す旨を選択した後、変更開始要求を設定する（Ｓ１）。次いで、内部操作により、指定された情報トラックを消去する（Ｓ２）。これにより、群に属する情報トラックの全てを消去しても、その群は残る。
【０１５８】
上記の動作について、具体的に説明する。
【０１５９】
図１６（ａ）に示すように、消去編集前の状態として、群「ＧＰ１」として分類されるトラック番号２〜４の情報トラックＴ１−１〜Ｔ１−３と、群「ＧＰ２」として分類されるトラック番号６〜８の情報トラックＴ２−１〜Ｔ２−３と、群「ＧＰ３」として分類されるトラック番号１０〜１３の情報トラックＴ３−１〜Ｔ３−４とがあったときに、群「ＧＰ２」として分類されるトラック番号６の情報トラックＴ１−１を削除することを考える。
【０１６０】
このときには、操作者の操作によって、消去する情報トラックＴ２−１を設定した後、群を残す旨を選択し、その後、変更開始要求を操作者が設定する。これによって、内部操作では、図１６（ｂ）に示すように、トラック番号５の特定トラックＧＰ２はそのまま残された状態で、トラック番号６に存在していた情報トラックＴ２−１のみが消去される。すなわち、この場合には、特定トラックＧＰ２が残っているので、群「ＧＰ２」は残っていることになる。したがって、後に、再度この群「ＧＰ２」に新たな情報トラックを分類配属させることが容易となる。
【０１６１】
次に、群に属する情報トラックの全てを消去するときに、その群を残さない場合について、図１７に示すフローチャートに基づいて説明する。
【０１６２】
先ず、操作者の操作により、消去する情報トラックを設定した後、その群の情報トラックが０になっても群を残さない旨を選択した後、変更開始要求を設定する（Ｓ１１）。次いで、内部操作により、指定された情報トラックを消去する（Ｓ１２）。そして、群に属する情報トラックの再チェックを行い（Ｓ１３）、消去した情報トラックが属していた群のトラック数をチェックする（Ｓ１４）。このチェックにおいて、トラック数が０か否かを判断し（Ｓ１５）、トラック数が０のときには、消去した情報トラックが属していた群の特定トラックを消去する（Ｓ１６）。なお、Ｓ１５においてトラック数が０でないときには、そのまま終了する。
【０１６３】
上記の動作について、具体的に説明する。
【０１６４】
図１８（ａ）に示すように、消去編集前の状態として、群「ＧＰ１」として分類されるトラック番号２〜４の情報トラックＴ１−１〜Ｔ１−３と、群「ＧＰ２」として分類されるトラック番号６〜８の情報トラックＴ２−１〜Ｔ２−３と、群「ＧＰ３」として分類されるトラック番号１０〜１３の情報トラックＴ３−１〜Ｔ３−４とがあったときに、群「ＧＰ２」として分類されるトラック番号６の情報トラックＴ１−１を削除することを考える。
【０１６５】
このときには、操作者の操作によって、消去する情報トラックＴ２−１を設定し、さらに、群「ＧＰ２」を残さない旨を選択した後、変更開始要求を操作者が設定する。これによって、内部操作では、図１８（ｂ）に示すように、トラック番号６に存在していた情報トラックＴ２−１とともに、トラック番号５の特定トラックＧＰ２も一緒に消去される。
【０１６６】
このように、本実施の形態のＭＤプレーヤでは、本来記録すべき情報のための情報トラックの処理によって群に属するトラックが存在しなくなった場合、相当する特定トラックを同時に消去するか否かを選択可能に構成されている。
【０１６７】
このため、情報トラックの定義変更により、群に属するトラックが存在しなくなった場合、相当する特定トラックを消去したり、そのまま残したり、操作者の意思により選択することが可能となる。
【０１６８】
〔実施の形態７〕
本発明のさらに他の実施の形態について図１９及び図２０に基づいて説明すれば、以下の通りである。なお、説明の便宜上、前記の実施の形態１ないし実施の形態６の図面に示した部材と同一の機能を有する部材については、同一の符号を付し、その説明を省略する。また、前記実施の形態１ないし実施の形態６で述べた各種の特徴点については、本実施の形態についても組み合わせて適用し得るものとする。本実施の形態では、同時送受信通信手段を有するＭＤプレーヤについて説明する。
【０１６９】
本実施の形態のＭＤプレーヤ１では、図１９に示すように、通信許可状態を知らせるためのＳＴＢ（入力）ポート１１と、クロック同期とするためのクロック（出力）ポート１２と外部機器２からＭＤプレーヤ１をコントロールするためのコマンド（出力）ポート１３とＭＤプレーヤ１の状態を読み出すためのモード（入力）ポート１４とを備えている。なお、本説明においては、入出力の表現は、外部機器２側から見た表現としている。また、通信は、クロック同期型とし、同時送受信としている。また、これら各ポート１１〜１４等は、本発明の通信手段としての通信部１０を構成している。
【０１７０】
上記の通信部１０を有するＭＤプレーヤ１では、図２０（ａ）（ｂ）（ｃ）（ｄ）に示すように、ＳＴＢ（入力）ポート１１が「Ｈ」のときには、ＭＤプレーヤ１は通信不可であるので、ＳＴＢ（入力）ポート１１が「Ｌ」となるまで待つ。そして、ＳＴＢ（入力）ポート１１が「Ｌ」になると、外部機器２はクロックを出力する。そして、外部機器２はＭＤプレーヤ１をコントロールするとき、つまりコマンドを転送するときには、クロックに同期して転送する。ここで、コマンド通信時及びモード通信時等においては、ビット数を増やすことにより、ＭＤプレーヤ１の動作モード以外にはＭＤプレーヤ１の情報を引き出すことができる。また、コマンドに、特定トラックの総数とトラック番号とを呼び出し、コマンドを規定することによって、外部機器２にてミニディスクに記録された特定トラックの位置つまりトラック番号を知ることができる。
【０１７１】
この結果、上記の各ポート１１〜１４からなる通信部１０を有するＭＤプレーヤ１において、外部機器２から、ＭＤプレーヤ１に特定トラックの総数と各特定トラックのトラック番号とを読み出すコマンドを規定することにより、外部機器２からミニディスクに記録されている特定トラックの数と場所とを知ることが可能となる。
【０１７２】
したがって、特定トラックの場所が外部機器２にて知ることが可能となれば、決まりによって、群も認識できることになる。
【０１７３】
このことにより、外部から群単位の再生が可能になる。さらに、ＭＤプレーヤ１にプログラム機能が備えられている場合には、簡単に群再生を行うには、外部機器２の群認識に伴って、プログラム化を行えば、プログラムされたものしか再生されないために、簡単に群再生を実現することができる。
【０１７４】
なお、上記の説明では、クロック同期式の同時送受信の通信手段を例にとって説明を行ったが、必ずしもこれに限らず、例えば、ＭＤプレーヤ１に特定トラックの読み出しコマンドを送ることが可能であって、かつその情報を読み出し可能な通信手段であれば、通信手段はどんな手法でも構わない。
【０１７５】
このように、本実施の形態のＭＤプレーヤ１では、特定トラックによるミニディスク内の本来記録すべき情報のための情報トラックのトラック分類の存在有無を、外部機器２に対して表明する通信部１０を備えている。
【０１７６】
このため、特定トラックによるトラック分類の存在有無を外部機器２に連絡することができるので、特定トラックの場所等を外部機器２に連絡することができるので、外部機器２において群への分類が可能になる。
【０１７７】
また、キーや表示を持たない記録情報本体を記憶するための主領域と、当該主領域における情報の記録位置や再生順序や、付加情報等の管理情報を記録するための副領域からなるミニディスクを再生するためのＭＤプレーヤ１において、特定トラック判定手段である特定トラック判別部１５を有していれば、通信部１０にを追加することのみで、外部からの群としての再生手順を指定することによって部別の再生を行うことが可能となる。したがって、ＭＤプレーヤ１の変更を最小限にとどめて、群に分類された再生を行うシステムを構築できる。
【０１７８】
〔実施の形態８〕
本発明のさらに他の実施の形態について前記図１９に基づいて説明すれば、以下の通りである。なお、説明の便宜上、前記の実施の形態１ないし実施の形態７の図面に示した部材と同一の機能を有する部材については、同一の符号を付し、その説明を省略する。また、前記実施の形態１ないし実施の形態７で述べた各種の特徴点については、本実施の形態についても組み合わせて適用し得るものとする。本実施の形態においても、通信手段を有するＭＤプレーヤ１について説明を行う。
【０１７９】
本実施の形態のＭＤプレーヤ１は、図１９に示すように、特定トラックの判別手段としての特定トラック判別部１５と、特定トラックによる群単位への分類手段としての特定トラック群分類部１６とを有している。さらに、ＭＤプレーヤ１は、通信部１０によって、群の数を外部機器２へ連絡することが可能な通信フォーマットとなっている。
【０１８０】
このことにより、外部機器２では、群再生と群番号とを指定することにより、群再生機能が実現可能となる。
【０１８１】
さらに、外部機器２から、指定されるトラックの属する群の付加情報（例えば、特定トラックのトラック名＝群名）を読み出すための読出手段としての付加情報読出部１７を備えることにより、例えば、再生中に、再生中のトラックの付加情報以外に、外部機器２からのコマンドに基づき、そのトラックの属する群の付加情報の読み出しが可能となる。
【０１８２】
このように、本実施の形態のＭＤプレーヤ１では、特定トラックによるミニディスク内の本来記録すべき情報のための情報トラックのトラック分類の存在有無を、外部機器２に対して表明する特定トラック群分類部１６を備えている。
【０１８３】
このため、特定トラックによるトラック分類の存在有無を外部機器２に連絡することができるので、特定トラックの場所等を外部機器２に連絡することができ、外部機器２において群への分類が可能になる。したがって、外部機器２では、群種別情報に基づき、群再生機能が実現可能となる。
【０１８４】
また、本実施の形態のＭＤプレーヤ１では、再生対象となる情報トラックが属する群種別情報を、外部機器２に対して表明する付加情報読出部１７を備えている。
【０１８５】
このため、外部機器２からの指定トラックの属する群の付帯情報が読み出せることとなる。したがって、外部機器２においては、群を意識することなく、指定トラックの属する群の付帯情報つまり群名を読み出すことが可能となる。
【０１８６】
また、外部機器２から見れば、必要な時に、郡の付帯情報つまり群名を読み出し可能となる。このため、事前に読み出しを行いメモリに蓄積しなくて良いので、そのために確保するメモリを省略することが可能となる。
【０１８７】
〔実施の形態９〕
本発明のさらに他の実施の形態について前記図１９に基づいて説明すれば、以下の通りである。なお、説明の便宜上、前記の実施の形態１ないし実施の形態８の図面に示した部材と同一の機能を有する部材については、同一の符号を付し、その説明を省略する。また、前記実施の形態１ないし実施の形態８で述べた各種の特徴点については、本実施の形態についても組み合わせて適用し得るものとする。本実施の形態においても、通信手段を有するＭＤプレーヤ１について説明を行う。
【０１８８】
前記図１９に示すように、ＭＤプレーヤ１は、特定トラック判別部１５と、特定トラック群分類部１６とを有している。なお、前記同様に、通信部１０では、群の数を外部機器２へ連絡することが可能な通信フォーマットとしておく。
【０１８９】
このことにより、外部機器２では、群再生と群番号とを指定することにより、群再生機能が実現可能となる。
【０１９０】
さらに、ＭＤプレーヤ１は、記録を行う際に、既に群が存在する場合には、これから記録を行うトラックの属する群を指定することを可能とする。なお、この場合には、記録開始時に、所属させる群を指定できるコマンドを受け付けることとする。
【０１９１】
実際には、外部機器２の記録待機キー３にて、ＭＤプレーヤ１を記録待機状態にすることができるものとする。このときには、外部機器２から、記録待機コマンドを転送する。
【０１９２】
次に、群の選択を操作者が行う。外部機器２は、群選択のための群の付帯情報の読み出しを行う。そして、外部機器２は、群番号を変更して、ＭＤプレーヤ１により、各群の付帯情報の読み出しを行う。群に、既に付加情報が記録されている場合には、操作者は、実際に群を指定して再生を行わなくても、群の付加情報により群の選択が可能となる。
【０１９３】
群の選択が終了すると、操作者は記録開始を行う。これによって、外部機器２からは、記録群番号を指定して、記録開始コマンドを転送する。
【０１９４】
記録待機キー３にて、ＭＤプレーヤ１は、最終トラックに記録されたトラックを記録前に指定された群の最後に移動する。
【０１９５】
なお、本実施の形態では、ＭＤプレーヤ１にはて指定群への移動を行ったが、必ずしもこれに限らず、外部機器２により、最後に記録されたトラックを指定群の最後に移動することによっても、実現可能である。
【０１９６】
また、上記においては、群の付帯情報（群名）のみを対象に説明を行ったが、必ずしもこれに限らず、例えば、群の総演奏時間や総トラック数の情報を合わせて表示することも群の付帯情報としても良い。
【０１９７】
このように、本実施の形態のＭＤプレーヤでは、新規記録される情報トラックを属させる予定の群種別情報を外部機器２へ対して表明する手段としての記録待機キー３を備えている。
【０１９８】
このため、既存特定トラックの付帯情報（群名、総演奏時間、総曲数）が外部で知ることが可能となる。このことを利用して、既に特定トラックに付帯情報が入力してある場合には、付帯情報として群名や総演奏時間や総曲数にて、群の内容を再生して群の内容を確認することなくこれから記録させようとする群を判別することが可能となる。
【０１９９】
【発明の効果】
本発明の情報記録再生装置は、以上のように、記録情報本体を記録するための主領域と、上記主領域における情報の管理情報及び／又は付加情報を記録するための副領域とからなる記録媒体を使用して、本来の記録情報の記録開始時及び／又は記録終了時に、上記本来の記録情報と異なる所定情報を記録する特定トラックを、主領域と副領域とに追加するように構成されたものである。
【０２００】
それゆえ、記録媒体に存在する複数の情報トラックを、より少数な群単位に分類することができるので、記録媒体中の多数の情報トラックの中から、まず分類されたいずれかの群を選択し、その後、選択された群の中から指定のトラックの選択をするというように、情報トラックの選択操作を階層的に行うことができ、情報トラック選択の操作性を向上することができる。
【０２０１】
したがって、従来に比べて情報トラックの選択が容易となり、多数の情報トラックを記録することによる目的情報トラックの検索の煩わしさによって記録可能容量を充分に使用しないという問題も解消できる。
【０２０２】
この結果、１つの記録媒体の記録可能容量を最大限に利用して多数の情報トラックを記録することができるとともに、トラック選択を容易に行って操作性を向上し得る情報記録再生装置を提供することができるという効果を奏する。
【０２０３】
本発明の情報記録再生装置は、以上のように、上記記載の情報記録再生装置において、所定情報を記録する特定トラックの主領域への記録データは、再生時に該所定情報の存在を操作者が認識困難な情報である。
【０２０４】
それゆえ、操作者には実用上の違和感を殆どないものとすることが可能となるという効果を奏する。
【０２０５】
本発明の情報記録再生装置は、以上のように、上記記載の情報記録再生装置において、特定トラックの主領域への記録データ長として、最小記録単位を割り当てるように構成されたものである。
【０２０６】
それゆえ、特定トラックの主領域への記録データ長として、最小記録単位を割り当てるだけであるので、特定トラックを主領域へ記録することが記録媒体の記録容量に影響することは殆どない。また、極めて短い時間で再生終了するため、操作者には実用上の違和感を殆どないものとすることが可能となるという効果を奏する。
【０２０７】
本発明の情報記録再生装置は、以上のように、上記記載の情報記録再生装置において、特定トラックの再生順序位置によって記録媒体に存在する複数の本来の記録情報のための情報トラックを群単位に分類し、この群単位で再生するように構成されたものである。
【０２０８】
それゆえ、記録媒体に存在する複数の情報トラックを、より少数な群単位に分類することができるので、記録媒体中の多数の情報トラックの中から、まず分類されたいずれかの群を選択し、その後、選択された群の中から指定のトラックの選択をするというように、情報トラックの選択操作を階層的に行うことができ、情報トラック選択の操作性を向上することができる。
【０２０９】
したがって、従来に比べて情報トラックの選択が容易となり、多数の情報トラックを記録することによる目的情報トラックの検索の煩わしさによって記録可能容量を充分に使用しないという問題も解消できる。
【０２１０】
この結果、確実に、１つの記録媒体の記録可能容量を最大限に利用して多数の情報トラックを記録することができるとともに、トラック選択を容易に行って操作性を向上し得る情報記録再生装置を提供することができるという効果を奏する。
【０２１１】
本発明の情報記録再生装置は、以上のように、上記記載の情報記録再生装置において、群単位への分類において、いずれの群にも属さない複数の本来の記録情報のための情報トラックの範囲を定義できるよう構成されたものである。
【０２１２】
それゆえ、情報トラックを一つにまとめて分類する際に、特定トラックを作成しないことにより、従来機で記録された記録媒体の情報トラックは全て群に属さないとすることができるので、従来機との互換性がとれる。また、特定の群に属さない情報トラックを一まとめに分類する際に、特定トラックを用意する必要が無くなり、限られた記録媒体の記録容量を無駄なく使うことができるという効果を奏する。
【０２１３】
本発明の情報記録再生装置は、以上のように、上記記載の情報記録再生装置において、特定トラックの副領域に記録された付加情報を、対応する群の情報として処理するよう構成されたものである。
【０２１４】
それゆえ、検索操作を操作者の固有の群情報により行うことができるので、検索操作が容易となる。また、逆に、検索操作における操作者の負担を小さくすることができるという効果を奏する。
【０２１５】
本発明の情報記録再生装置は、以上のように、上記記載の情報記録再生装置において、群単位への分類を、本来記録すべき情報のための新規の情報トラックの記録時に行うよう構成されたものである。
【０２１６】
それゆえ、新規の情報トラックの記録時に分類する群を操作者が選択し自動で分類することができるので、新規の情報トラックの記録後に操作者が内容の確認を行い１トラックずつ群に分類するという負担を取り除くことができるという効果を奏する。
【０２１７】
本発明の情報記録再生装置は、以上のように、上記記載の情報記録再生装置において、記録媒体に既に記録されている本来記録すべき情報のための情報トラックを、他の群単位へ分類変更可能とするように構成されたものである。
【０２１８】
それゆえ、従来機によって記録されたトラック情報を群に分類することができるので、従来機との互換性を持たすとともに情報トラックの管理に利便性を持たすことができるという効果を奏する。
【０２１９】
本発明の情報記録再生装置は、以上のように、上記記載の情報記録再生装置において、特定トラックによっていくつかの群に分けられた複数の本来記録すべき情報のための情報トラックに対して、ある特定の群を一括して例えば消去、移動、結合等の処理可能とするように構成されたものである。
【０２２０】
それゆえ、特定トラックにより群に分けられた一群を１つの単位として例えば消去、移動、結合等の処理を１回の操作で行うことが可能となり、操作者の利便性を向上することが可能となるという効果を奏する。
【０２２１】
本発明の情報記録再生装置は、以上のように、上記記載の情報記録再生装置において、本来記録すべき情報のための情報トラックの処理によって群に属するトラックが存在しなくなった場合、相当する特定トラックを同時に消去するか否かを選択可能に構成されているものである。
【０２２２】
それゆえ、情報トラックの定義変更により、群に属するトラックが存在しなくなった場合、相当する特定トラックを消去したり、そのまま残したり、操作者の意思により選択することが可能となるという効果を奏する。
【０２２３】
本発明の情報記録再生装置は、以上のように、上記記載の情報記録再生装置において、特定トラックによる記録媒体内の本来記録すべき情報のための情報トラックのトラック分類の存在有無を、外部機器へ対して表明する通信手段を備えたものである。
【０２２４】
それゆえ、特定トラックによるトラック分類の存在有無を外部機器に連絡することができるので、外部機器において群への分類が可能になるという効果を奏する。
【図面の簡単な説明】
【図１】  本発明における情報記録再生装置の実施の一形態を示すものであり、記録媒体の記録情報管理状態を示す説明図であって、（ａ）は副領域のポインタ部を示すもの、（ｂ）は副領域のスロット部を示すもの、（ｃ）は主領域を示すものである。
【図２】  上記情報記録再生装置において、特定トラックを定義記録した状態を示す説明図である。
【図３】  上記図２の状態から、さらに特定トラックを追加した状態を示す説明図である。
【図４】  （ａ）は上記情報記録再生装置におけるトラック情報の一覧を示す説明図であり、（ｂ）は「トラック番号３」を再生しているのときの表示例を示す説明図である。
【図５】  本発明における情報記録再生装置の他の実施の形態を示すものであり、ミニディスクにおける再生順序の先頭にいずれの群にも属さないトラック群を配する状態を示す説明図である。
【図６】  上記情報記録再生装置において、ミニディスクにおける再生順序の最後にいずれの群にも属さないトラック群を配する状態を示す説明図である。
【図７】  上記情報記録再生装置において、特定トラックに名称を定義しない状態を示す説明図である。
【図８】  本発明における情報記録再生装置のさらに他の実施の形態を示すものであり、新規な情報トラックを記録するに際して、新規特定トラックの追加記録を伴う状態を示す説明図であり、（ａ）は初期状態を示すもの、（ｂ）は記録及びグループ化終了後状態を示すものである。
【図９】  上記情報記録再生装置において、新規な情報トラックを記録するに際して、既存の群に追加記録を行う状態を示す説明図であり、（ａ）は初期状態を示すもの、（ｂ）は記録及びグループ化終了後状態を示すものである。
【図１０】  本発明における情報記録再生装置のさらに他の実施の形態を示すものであり、「所属無し」の「情報トラック４」を新規な「群１」に移動する状態を示す説明図であり、（ａ）は初期状態を示すもの、（ｂ）は記録及びグループ化終了後状態を示すものである。
【図１１】  上記情報記録再生装置において、「所属無し」の「情報トラック３」を既存の「群１」に移動する状態を示す説明図であり、（ａ）は初期状態を示すもの、（ｂ）は記録及びグループ化終了後状態を示すものである。
【図１２】  本発明における情報記録再生装置のさらに他の実施の形態を示すものであり、既存の「情報トラックＴ２−１〜Ｔ２−３」を特定トラック「ＧＰ２」ごと一括消去する状態を示す説明図であり、（ａ）は消去編集前の状態を示すもの、（ｂ）は消去編集後の状態を示すものである。
【図１３】  上記情報記録再生装置において、既存の群「ＧＰ３」の「情報トラックＴ３−１〜Ｔ３−４」を群「ＧＰ３」ごと群「ＧＰ１」の前に一括移動する状態を示す説明図であり、（ａ）は移動編集前の状態を示すもの、（ｂ）は移動編集後の状態を示すものである。
【図１４】  上記情報記録再生装置において、既存の群「ＧＰ３」の「情報トラックＴ３−１〜Ｔ３−４」を群「ＧＰ１」に一括結合する状態を示す説明図であり、（ａ）は移動編集前の状態を示すもの、（ｂ）は移動編集後の状態を示すものである。
【図１５】  本発明における情報記録再生装置のさらに他の実施の形態を示すものであり、情報トラックを消去する際に、群の情報トラックが全てなくなる場合に、群名称を残す場合の動作を示すフローチャートである。
【図１６】  上記情報記録再生装置において、情報トラックを消去する際に、群の情報トラックが全てなくなる場合に、群名称を残す場合の動作を示す説明図であり、（ａ）は消去編集前の状態を示すもの、（ｂ）は消去編集後の状態を示すものである。
【図１７】  上記情報記録再生装置において、情報トラックを消去する際に、群の情報トラックが全てなくなる場合に、群名称を残さない場合の動作を示すフローチャートである。
【図１８】  上記情報記録再生装置において、情報トラックを消去する際に、群の情報トラックが全てなくなる場合に、群名称を残さない場合の動作を示す説明図であり、（ａ）は消去編集前の状態を示すもの、（ｂ）は消去編集後の状態を示すものである。
【図１９】  本発明における情報記録再生装置のさらに他の実施の形態を示すものであり、外部機器を備えた状態を示すブロック図である。
【図２０】  上記情報記録再生装置における外部機器との通信制御状態を示すタイミングチャートである。
【図２１】  従来の情報記録再生装置における記録媒体の記録情報管理状態を示す説明図であって、（ａ）は副領域のポインタ部を示すもの、（ｂ）は副領域のスロット部を示すもの、（ｃ）は主領域を示すものである。
【符号の説明】
１    ＭＤプレーヤ（情報記録再生装置）
２    外部機器
３    記録待機キー
１０    通信部（通信手段）
１５    特定トラック判別部
１６    特定トラック群分類部
１７    付加情報読出部
【図１】
0003756392.tif 000002
【図２】
0003756392.tif 000003
【図３】
0003756392.tif 000004
【図４】
0003756392.tif 000005
【図５】
0003756392.tif 000006
【図６】
0003756392.tif 000007
【図７】
0003756392.tif 000008
【図８】
0003756392.tif 000009
【図９】
0003756392.tif 000010
【図１０】
0003756392.tif 000011
【図１１】
0003756392.tif 000012
【図１２】
0003756392.tif 000013
【図１３】
0003756392.tif 000014
【図１４】
0003756392.tif 000015
【図１５】
0003756392.tif 000016
【図１６】
0003756392.tif 000017
【図１７】
0003756392.tif 000018
【図１８】
0003756392.tif 000019
【図１９】
0003756392.tif 000020
【図２０】
0003756392.tif 000021
【図２１】
0003756392.tif 000022